(57)【特許請求の範囲】
【請求項１】
燃料ガスを使用するエンジンシステムであって、エンジンがロータリーエンジンよりなると共に、過給器を備えており、
該燃料ガスは、木質バイオマス，ＶＯＣ，廃食油，その他の炭化水素系化合物を、ガス化炉で加熱，気化してから、改質反応器で水蒸気改質して得られ、少なくとも水素や一酸化炭素を主成分として含有した生成ガスよりなり、もって該生成ガスつまり燃料ガスは、成分，組成比が様々なので発熱量も様々であり、
該過給器に付随して、該過給器下流側に冷却用のインタークーラーが付設されており、該過給器およびインタークーラーは、該燃料ガスの発熱量が低い場合、より多量の該燃料ガスを燃焼可能とすべく機能し、該インタークーラーは、更に、該燃料ガス中の水素の燃焼爆発予防機能も発揮し、
かつ該過給器は、該ロータリーエンジンの回転出力軸の回転駆動力を利用し、該回転出力軸に機械式圧縮ポンプを連結して過給を行うメカニカルスーパーチャージャーよりなり、又、該改質反応器は、水蒸気改質に際し、該ロータリーエンジンの排気ガスの熱を利用し、
このエンジンシステムでは、該燃料ガスと空気が、混合器にて混合された後、該過給器にて圧縮されてから、該ロータリーエンジンのハウジング内へと供給されること、を特徴とするエンジンシステム。
【発明の詳細な説明】
【技術分野】
【０００１】
本発明は、エンジンシステムに関する。すなわち、木質バイオマス，その他の炭化水素系化合物を加熱，気化，改質して得られた生成ガスを、燃料として使用するエンジンシステムに関する。
【背景技術】
【０００２】
《技術的背景》
木質廃材等の木質バイオマス，その他の炭化水素系化合物を加熱，気化して得られた、木質バイオマスガス，その他の生成ガスについては、燃料としての有効利用が、最近注目を集めている。
すなわち、この種の生成ガスをエンジンの燃料ガスとして使用し、もって発電等に活用するシステムの構築が、最近大きなテーマとなっている。
【０００３】
《従来技術》
ところで、現在開発，使用されているこの種従来例のエンジンシステムは、木質バイオマスガス，その他の生成ガスの種類毎の特殊仕様や、その用途毎の特殊仕様よりなると共に、自然給気のミクスチャー方式や特殊直噴方式のものが代表的である。
例えば、木質バイオマスガスを燃料ガスとして使用する場合は、各種のエンジントラブルの原因となる含有タールの除去対策が必要であり、その為の特殊専用仕様が付帯設備とされていた。又、タービンやボイラーの燃料ガスとして使用する場合は、それなりの特殊専用仕様の設備が設けられていた。
又、これらと共に、自然給気された空気と生成ガスとを、混合器を経由してディーゼルエンジン等に供給する方式や、特殊制御されるインジェクターを使用する方式、等々が採用されていた。又、軽油，Ａ重油，ＬＰＧ等が、補助燃料として併用されることも多かった。
【０００４】
《先行技術文献情報》
このような従来例としては、例えば、次の特許文献１や特許文献２に示されたものが、挙げられる。
【特許文献１】特開２００７−２１１７６４号公報
【特許文献２】特開２００８−３７９０２号公報
【発明の開示】
【発明が解決しようとする課題】
【０００５】
ところで、このような従来例については、次の問題が指摘されていた。
《第１の問題点》
第１に、この種の生成ガスは発熱量が低い場合が多々あり、エンジンシステムの安定運転に支障が生じる、という問題が指摘されていた。
すなわち、この種の生成ガスは、水素，一酸化炭素，更にはメタン，プロパン等の燃料成分の他、窒素，二酸化炭素，水蒸気等の不燃成分を含有するが、その成分量（組成比）は、生成ガスの種類に応じ様々である。例えば、木質バイオマスガスにあっても、原料となる木質バイオマスの種類により様々である。もって、生成ガスの発熱量も様々であり、発熱量変動も大きい。
そこで、前述したこの種従来例のエンジンシステムにあっては、燃料ガスとして使用される生成ガスの発熱量の低さや低下変動に起因して、エンジン駆動に必要な出力パワーが得られず、エンジンの燃焼，駆動，運転が困難化する事態が、多々発生していた。連続運転不能，エンジンストップの事態が発生していた。
もって、生成ガスの発熱量２，８００ｋｃａｌ／Ｎｍ３（１１，７２１ｋＪ／Ｎｍ３）が、燃料ガスとしての使用の限界とされており、これを安定的に越える発熱量が必要とされており、それ以下については、燃料ガスとしてカロリー的に使用不能とされていた。
【０００６】
《第２の問題点》
第２に、この種従来例のエンジンシステムについては、コスト面にも問題が指摘されていた。
すなわち、従来例のエンジンシステムは、前述したように、燃料ガスとして使用される生成ガスの種類や用途毎の特殊仕様，専用方式よりなっていたので、汎用性に乏しく設備コストやメンテナンスコストが嵩む、という問題が指摘されていた。又、前述したように生成ガスの発熱量の低さ等に起因して、軽油，Ａ重油，ＬＰＧ，その他の補助燃料が多用されており、この面からもメンテナンスコストが嵩む、という問題が指摘されていた。
【０００７】
《本発明について》
本発明のエンジンシステムは、このような実情に鑑み、上記従来例の課題を解決すべくなされたものである。
そして本発明は、第１に、低い発熱量の生成ガスを燃料ガスとした場合でも、支障なく安定運転可能となり、第２に、しかもこれが簡単容易な構成により、コスト面にも優れて実現される、エンジンシステムを提案することを、目的とする。
【課題を解決するための手段】
【０００８】
《請求項について》
このような課題を解決する本発明の技術的手段、つまり特許請求の範囲記載の技術的手段は、次の請求項１のとおりである。
このエンジンシステムは、燃料ガスを使用するエンジンシステムであって、エンジンがロータリーエンジンよりなると共に、過給器を備えている。
そして該燃料ガスは、木質バイオマス，ＶＯＣ，廃食油，その他の炭化水素系化合物を、ガス化炉で加熱，気化してから、改質反応器で水蒸気改質して得られ、少なくとも水素や一酸化炭素を主成分として含有した生成ガスよりなる。もって該生成ガスつまり燃料ガスは、成分，組成比が様々なので発熱量も様々である。
該過給器に付随して、該過給器下流側に冷却用のインタークーラーが付設されている。該過給器およびインタークーラーは、該燃料ガスの発熱量が低い場合、より多量の該燃料ガスを燃焼可能とすべく機能する。該インタークーラーは、更に、該燃料ガス中の水素の燃焼爆発予防機能も発揮する。
【０００９】
かつ該過給器は、該ロータリーエンジンの回転出力軸の回転駆動力を利用し、該回転出力軸に機械式圧縮ポンプを連結して過給を行うメカニカルスーパーチャージャーよりなる。又、該改質反応器は、水蒸気改質に際し、該ロータリーエンジンの排気ガスの熱を利用する。
このエンジンシステムでは、該燃料ガスと空気が、混合器にて混合された後、該過給器にて圧縮されてから、該ロータリーエンジンのハウジング内へと供給されること、を特徴とする。
【００１０】
《作用等について》
本発明は、このような手段よりなるので、次のようになる。
（１）このエンジンシステムには、木質バイオマス，その他の炭化水素系化合物を加熱，気化，改質した生成ガスが、燃料ガスとして供給される。
（２）この生成ガスの成分は様々であり、その発熱量も様々である。すなわち、水素や一酸化炭素を主成分とするが、メタン等を含有することもある反面、窒素や二酸化炭素等の不燃成分も含有する。
（３）そこで、このエンジンシステムは、過給器更にはインタークーラーを備えており、燃料ガスや空気を圧縮，過給して充填効率を増加させ、より多量の燃料ガスを燃焼可能とする。
（４）もって、燃料ガスとして供給される生成ガスの発熱量が低い場合でも、エンジン駆動に必要な出力パワーが得られるようになる。
（５）すなわち、生成ガスの発熱量が２，８００ｋｃａｌ／Ｎｍ３を下廻っても、燃料ガスとして使用可能となり、その下限は、１，６００ｋｃａｌ／Ｎｍ３、更には１，４００ｋｃａｌ／Ｎｍ３程度まで可能となる。
（６）なお、このエンジンシステムでは、燃料ガスと空気が、混合器から過給器を介して、ロータリーエンジンへと供給される。
（７）このエンジンシステムは、過給器，インタークーラー，混合器等を、ロータリーエンジンに組み込んだ、簡単容易な構成よりなる。しかも、発熱量の低い生成ガスでも、エンジン駆動に必要な出力パワーが得られるので、補助燃料の必要性が低下する。
（８）さてそこで、本発明のエンジンシステムは、次の効果を発揮する。
【発明の効果】
【００１１】
《第１の効果》
第１に、低い発熱量の生成ガスを燃料ガスとした場合も、安定運転が可能となる。
すなわち、本発明のエンジンシステムは、まず、木質バイオマス，その他の炭化水素系化合物を加熱，気化，改質した生成ガスを、燃料ガスとすると共に、過給器更にはインタークーラーを備えている。
そこで、より多量の燃料を燃焼させることが可能となり、燃料ガスとして使用される生成ガスの発熱量が低い場合でも、エンジンの燃焼，駆動，運転が確保される。生成ガスの発熱量の低さや低下変動に起因して、前述したこの種従来例のエンジンシステムのように、連続運転不能，エンジンストップの事態が発生することは、大幅に解消される。
更に、本発明のエンジンシステムは、過給器としてメカニカルスーパーチャージャーを採用したので、次の（１），（２），（３）のようになる。
（１）スーパーチャージャーは、ロータリーエンジンのトルク性能が向上し、エンジン回転の低速時でも応答性が高い、という利点がある。
（２）本発明のエンジンシステムで使用する燃料ガスは、水素が多量に含有されており、高温下での水素の燃焼，爆発反応回避に留意する必要がある。
そこで、例えばターボチャージャーを過給器として採用すると、排気ガスの熱が伝達され、もってロータリーエンジンに供給される前の段階の燃料ガス中の水素の燃焼，爆発を、誘発する虞が存在する。これに対し、スーパーチャージャーを過給器として採用したので、このような危険が一切なく、安全性に優れている。
（３）更にスーパーチャージャーでは、ターボチャージャーのように排気ガスを利用しないので、排気ガスの温度低下が回避される。従って、スーパーチャージャーを過給器として採用すると、排気ガスの熱を、改質反応器における改質用に利用したり、ガス化炉での加熱用に利用可能となる。
このように、この種従来例に存した課題がすべて解決される等、本発明の発揮する効果は、顕著にして大なるものがある。
【００１２】
《第２の効果》
第２に、しかもこれは、簡単容易な構成により、従来例に比しコスト面にも優れて実現される。
すなわち、本発明のエンジンシステムは、公知公用されている過給器，インタークーラー，混合器等を、汎用品のロータリーエンジンに組み込んだ簡単な構成よりなり、上述した第１の効果が容易に実現される。前述したこの種従来例のエンジンシステムのように、特殊仕様，専用方式を要することもなく、その分、設備コストやメンテナンスコストに優れている。しかも、軽油，Ａ重油，ＬＰＧ，その他の補助燃料の使用も、この種従来例に比し大幅削減され、この面からもメンテナンスコストに優れている。
このように、この種従来例に存した課題がすべて解決される等、本発明の発揮する効果は、顕著にして大なるものがある。
【発明を実施するための最良の形態】
【００１３】
《図面について》
以下、本発明のエンジンシステムを、図面に示した発明を実施するための最良の形態に基づいて、詳細に説明する。
図１〜図４は、本発明を実施するための最良の形態の説明に供する。そして図１は、構成フロー図、図２は、構成説明図、図３は、本発明には属さない参考例の構成説明図である。図４は、構成ブロック図であり、（１）図は本発明の例を示す。（２）図，（３）図，（４）図は、本発明には属さない参考例を示す。
【００１４】
《燃料ガスＡについて》
まず、図１を参照して、本発明のエンジンシステム１で使用される燃料ガスＡについて、説明する。
この燃料ガスＡとしては、例えば、木質バイオマス，ＶＯＣ，廃食油，その他の炭化水素系化合物を、加熱，気化，改質して得られる生成ガスが使用され、少なくとも水素や一酸化炭素を含有している。
【００１５】
これらについて更に詳述する。このエンジンシステム１では、木質廃材，木屑チップ,その他の木質バイオマスＢ，動植物系バイオマス，その他のバイオマス，ＶＯＣ廃液,粗エタノール溶液，廃食油，灯油，又はその他の炭化水素系化合物から選択された１種類又は複数種類を、→ガス化炉２で加熱，気化したガスについて、→改質反応器３で水蒸気改質した生成ガス（改質ガス）が、→燃料ガスＡとして供給，使用される。
そして、このように燃料ガスＡとして供給，使用される生成ガスは、その成分そして成分量（組成比）が、原料となる炭化水素系化合物の種類に応じ様々である。もって、その発熱量も様々であるが、低い発熱量よりなることも多い。
すなわち、水素（Ｈ２）と一酸化炭素（ＣＯ）を主成分とすることが多いが、更にメタン（ＣＨ４），エチレン（Ｃ２Ｈ４），プロパン（Ｃ３Ｈ８），ブタン（Ｃ４Ｈ１０）等の高発熱量の低級炭化水素を含有することも多い。その反面、これらの燃料成分と共に、窒素（Ｎ２），二酸化炭素（ＣＯ２），水蒸気（Ｈ２Ｏ）等の不燃成分も、含有している。
【００１６】
まず、図１中に示した木質バイオマスＢの例について述べる。図１中に示した例では、木質バイオマスＢが、熱分解炉よりなるガス化炉２に投入されて、熱分解され、→水素，一酸化炭素，二酸化炭素，窒素，水蒸気等を主成分とし、タール蒸気も含有した熱分解ガスつまり木質バイオマスガスへと、気化される。
それから、この木質バイオマスガスは、→改質反応器３へと供給され、タール蒸気が、高温加熱された熱の作用と充填された触媒の作用とに基づき、水蒸気更には空気中の酸素を酸化剤として反応して、→水素，一酸化炭素，二酸化炭素等に、水蒸気改質される。
もって、このようにタール成分が改質されてカロリーアップされた生成ガス（改質ガス）が、→燃料ガスＡとしてエンジンシステム１へと供給される。
次に、ＶＯＣの例について述べる。揮発性有機化合物ＶＯＣとしては、例えばメチルエチルケトン，イソプロピルアルコール，酢酸エチル，酢酸ブチル，トルエン，キシレン，ベンゼン，エタノール，トリクロロエタン，リモネン等が、代表的である。
そしてＶＯＣは、例えば溶剤等として使用され、ＶＯＣ廃液として回収されることが多い。そしてＶＯＣ廃液は、→予熱器よりなるガス化炉２で気化され、→水蒸気とＶＯＣガスの混合ガスとなって改質反応器３へと供給され、→前述に準じ水素，一酸化炭素，二酸化炭素等に水蒸気改質される。→もって、このような生成ガス（改質ガス）が、燃料ガスＡとして使用される。
廃食油の例については、次の通り。使用済の植物油である廃食油は、植物性脂肪（不飽和脂肪）のトリグリセリドを主成分とする。そして廃食油は、→ガス化炉２で気化された後、水蒸気や加熱空気が圧入，混合されてから、→改質反応器３へと供給され、前述に準じ水素，一酸化炭素，二酸化炭素，更にはメタン，エチレン等に水蒸気改質される。→そして、このような生成ガス（改質ガス）が、燃料ガスＡとして使用される。
このエンジンシステム１で使用される燃料ガスＡは、このようになっている。
【００１７】
《エンジンシステム１の概要について》
次に、図１，図２，図４の（１）図を参照して、本発明のエンジンシステム１の概要について、説明する。このエンジンシステム１は、燃料ガスＡを使用し、エンジンがロータリーエンジン４よりなると共に、過給器５を備えており、空気Ｃや燃料ガスＡが過給器５を介して供給される。
又、この過給器５に付随してインタークーラー６が付設され、過給器５の下流側にインタークーラー６が介装されている。又図示例では、ロータリーエンジン４の主軸に、隣接付設された発電機７が連結されており、その駆動が発電用に出力されるが、勿論、電力以外の各種駆動エネルギー源としても利用可能である。
【００１８】
このエンジンシステム１の例については、次のとおり。図１，図２，図４の（１）図に示した例のエンジンシステム１では、燃料ガスＡと空気Ｃが、混合器８にて混合された後、過給器５にて圧縮されインタークーラー６にて冷却されてから、ロータリーエンジン４のハウジング９内へと、供給される。
これに対し、図４の（２）図に示した本発明には属さない参考例のエンジンシステム１では、空気Ｃが、過給器５にて圧縮されインタークーラー６にて冷却された後、混合器８において、別途加圧供給される燃料ガスＡと混合されてから、ロータリーエンジン４のハウジング９内へと、供給される。
図３，図４の（３）図に示した本発明には属さない参考例のエンジンシステム１では、空気Ｃが、過給器５にて圧縮されインタークーラー６にて冷却された後、ロータリーエンジン４のハウジング９内へと供給されると共に、別途加圧供給された燃料ガスＡが、インジェクター１０からロータリーエンジン４のハウジング９内に噴射される。
図４の（４）図に示した本発明には属さない参考例のエンジンシステム１では、空気Ｃが、ロータリーエンジン４のハウジング９内へと加圧供給されると共に、燃料ガスＡが、過給器５にて圧縮されインタークーラー６にて冷却された後、インジェクター１０からロータリーエンジン４のハウジング９内に噴射される。この場合、予め加圧された空気Ｃが、吸気孔１２からハウジング９内に供給されるか、又は、そのインジェクター１０からハウジング９内に噴射される。
エンジンシステム１の概要は、このようになっている。
【００１９】
《ロータリーエンジン４について》
次に、図２，図３を参照して、このエンジンシステム１で使用されるロータリーエンジン４について、説明する。
ロータリーエンジン４は周知のごとく、ハウジング９内の燃焼室で、ローター１１が偏心回転運動して動力を発生させ、もってその主軸に回転力を伝達する、間欠燃焼式・容積式の内燃機関である。そして、ローター１１が１回転する毎に、ローター１１の３面が、吸気工程，圧縮工程，膨張行程，排気工程の４サイクルにて作動し、このような工程が繰り返される。
又、ハウジング９の吸気工程サイドに吸気孔１２が、排気工程サイドに排気孔１３が、それぞれ１ポートずつ配設されると共に、圧縮，膨張行程サイドに、点火プラグ１４が１個又は複数個配設されている。
【００２０】
そして、図１，図２，図４の（１）図のエンジンシステム１は、ミクスチャー方式つまり混合気供給方式よりなる。燃料ガスＡと空気Ｃが、混合器８にて混合されてから、混合ガスの状態でロータリーエンジン４のハウジング９内へと、吸気孔１２から供給される。
これに対し、図３，図４の（３）図，（４）図の本発明には属さない参考例のエンジンシステム１は、直噴方式よりなる。燃料ガスＡは、インジェクター１０からロータリーエンジン４のハウジング９内へと直接噴射され、空気Ｃは、吸気孔１２からハウジング９内に供給される。燃料ガスＡと空気Ｃは、ハウジング９内に別々の場所から導入される。インジェクター１０は、吸気孔１２がローター１１の回転により閉となった直後の圧縮工程当初サイドに、配設されている。
このエンジンシステム１のロータリーエンジン４は、このようになっている。
【００２１】
《過給器５やインタークーラー６について》
次に、図１〜図３を参照して、このエンジンシステム１で使用される過給器５とインタークーラー６について、説明する。
まず、過給器５について述べる。過給器５として、図示ではターボチャージャーが使用されており、排気側の排気孔１３からの排気ガスＤの圧力を利用して、タービン１５を回転させることにより、シャフト１６を介し同軸上のコンプレッサー１７を回転させ、もって、吸気側の燃料ガスＡや空気Ｃを圧縮，過給する。
例えば、自然給気の場合の空燃比（Ａ／Ｆ）を１４〜１６とすると、過給により結果的に、１．５倍〜２倍から３倍程度の燃料ガスＡを、ロータリーエンジン４のハウジング９に供給する。
ところで本発明では、このような図示のターボチャージャーではなく、後で詳述するように、メカニカルスーパーチャージャーが採用される。
【００２２】
次に、インタークーラー６について述べる。このように、燃料ガスＡや空気Ｃの吸気をターボチャージャー等の過給器５で圧縮すると、その温度が上昇して体積が膨張しょうとするが、体積が膨張してしまうと密度が低下し実質的な量が減ってしまい、過給器５を採用した効果が半減してしまうことになる。
そこで周知のように、これらの回避を機能，使用目的として、過給器５の下流側にインタークーラー６を付設し、もって冷却により温度を例えば６０〜６５℃程度まで下げてから、ロータリーエンジン４のハウジング９へと供給するようになっている。インタークーラー６としては、ラジエーターに準じた空冷式や、冷却水を循環させる水冷式等、公知構造の放熱器が採用される。
ところで本発明では、燃料ガスＡ中に水素が主成分として含有されていることに鑑み、インタークーラー６による燃料ガスＡの冷却は、ロータリーエンジン４に供給される前の段階において、高温化における水素の燃焼，爆発反応を予防する機能，使用目的も有している。このように本発明では、インタークーラー６の付設により、このエンジンシステム１の安全性が向上する。
過給器５やインタークーラー６は、このようになっている。
【００２３】
《作用等》
本発明のエンジンシステム１は、以上説明したように構成されている。そこで、以下のようになる。
（１）このエンジンシステム１では、木質バイオマスＢ，ＶＯＣ，廃食油，その他の炭化水素系化合物を、上流側のガス化炉２で加熱，気化し、改質反応器３で改質した生成ガス（改質ガス）が、燃料ガスＡとして供給される（図１〜図４を参照）。
もって、下流側のエンジンシステム１のロータリーエンジン４が、燃料ガスＡ中の燃料成分である水素，一酸化炭素，メタン等を、燃料として運転される。
【００２４】
（２）ところで、このような生成ガスよりなる燃料ガスＡの成分や成分量（組成比）は、原料となる炭化水素系化合物の種類に応じ様々であり、その発熱量も様々で、低い発熱量のものも多い。
すなわち、水素と一酸化炭素を主成分とするが、メタンやプロパン等を含有することもある反面、窒素や二酸化炭素等の不燃成分も含有する。
【００２５】
（３）そこで、このエンジンシステム１は、過給器５更にはインタークーラー６を備えており、吸気側の燃料ガスＡや空気Ｃを圧縮，過給するようになっている（図１〜図４を参照）。
すなわち過給器５にて、燃料ガスＡや空気Ｃについて、ロータリーエンジン４のハウジング９内への充填効率を増加させ、もって無過給の場合に比し、より多量の燃料ガスＡを燃焼させることが可能となっている。
【００２６】
（４）もって、燃料ガスＡとして供給される生成ガスの発熱量が低い場合であっても、エンジン駆動に必要な出力パワーが得られるようになる。
すなわち、生成ガスつまり燃料ガスＡの発熱量が低くても、圧縮により一定時間内により多量の燃料ガスＡを、一定容積のハウジング９内に供給でき、その分、ロータリーエンジン４の回転数やトルクが向上し、出力アップとなる。もって、エンジンストップの事態発生は、大幅解消される。
【００２７】
（５）このように、燃料ガスＡとして使用可能な生成ガスの発熱量について、具体的には次のとおり。
すなわち、生成ガスの発熱量が、これまで限界とされていた２，８００ｋｃａｌ／Ｎｍ３（１１，７２１ｋＪ／Ｎｍ３）を下廻るカロリーであっても、十分に燃料ガスＡとして使用可能となる。使用可能なカロリー下限は、１，６００ｋｃａｌ／Ｎｍ３（６，６９８ｋＪ／Ｎｍ３）、更には１，４００ｋｃａｌ／Ｎｍ３（５，８６０ｋＪ／Ｎｍ３）程度まで、見込まれる。
【００２８】
（６）なお、このエンジンシステム１では、燃料ガスＡと空気Ｃが、混合器８から過給器５やインタークーラー６を介した後、吸気孔１２からロータリーエンジン４のハウジング９内へと、供給される（図１，図２，図４の（１）図等を参照）。
【００２９】
（７）そして、このエンジンシステム１は、過給器５，インタークーラー６，混合器８等を、ロータリーエンジン４に組み込んでなり、簡単容易な構成よりなる。
しかも、発熱量の低い生成ガスを燃料ガスＡとした場合でも、エンジン駆動に必要な出力パワーが得られるので、軽油，Ａ重油，ＬＰＧ，その他の補助燃料の必要性が大幅低下する。
本発明の作用等は、このようになっている。
【００３０】
《過給器５としてスーパーチャージャーの使用について》
なお図示では、過給器５としてターボチャージャーが示されていたが、本発明では、スーパーチャージャーが使用される。
すなわち、スーパーチャージャー（メカニカルスーパーチャージャー：機械式過給器）は、ターボチャージャー（排気タービン式過給器）が、排気ガスＤの流れを利用してタービン１５を回転させて過給を行うのに対し、ロータリーエンジン４の回転出力軸（クランクシャフト）の回転駆動力を利用し、これに連結された機械式圧縮ポンプを作動させて過給を行う。
【００３１】
過給器５として、スーパーチャージャーとターボチャージャーとを比較すると、次のとおり。
第１に、スーパーチャージャーは、ロータリーエンジン４のトルク性能が向上し、エンジン回転の低速時でも応答性が高い、という利点が知られている。
第２に、これに対しターボチャージャーは、本来捨てられる排気エネルギーを活用するので、エンジン出力を利用するスーパーチャージャーに比し、エンジン効率を低下させることがないことが、知られている。
第３に、本発明のエンジンシステム１で使用する燃料ガスＡは、水素が多量に含有されており、高温下での水素の燃焼，爆発反応回避に、留意する必要がある。
これに対しターボチャージャーでは、高温となる排気ガスＤ用のタービン１５と、コンプレッサー１７とが、シャフト１６で連結されている。そこで、ターボチャージャーを過給器５として採用すると、排気ガスＤの熱がコンプレッサー１７側へと伝達され、もって、ロータリーエンジン４に供給される前の段階の燃料ガスＡ中の水素の燃焼，爆発を、誘発する虞が可能性としては存在する。
これに対し、スーパーチャージャーを過給器５として採用した場合は、このような危険が一切なく、この面から、ターボチャージャーより安全性に優れていると言える。
第４に、更にスーパーチャージャーでは、ターボチャージャーのように排気ガスＤを利用しないので、排気ガスＤの温度低下が回避される。従って、本発明のエンジンシステム１では、スーパーチャージャーを過給器５として採用すると、排気ガスＤの熱を、改質反応器３における改質用に利用したり、ガス化炉２での加熱用に利用可能となる、という利点がある。
【実施例】
【００３２】
ここで、本発明の実施例について、述べておく。この実施例では、発熱量の異なる２種類の生成ガスを燃料ガスＡとし、もってテスト１，テスト２として、本発明のエンジンシステム１のロータリーエンジン４に供給して、それぞれのエンジン特性をテストした。
このテスト１，２には、図１，図２，図４の（１）図に示したエンジンシステム１を使用した。まず、テスト１，２のテスト条件については、次のとおり。
《テスト１のテスト条件》
・燃料ガスＡの発熱量（ＬＨＶ）    ：３，０００ｋｃａｌ／Ｎｍ３（１２，５５８ｋＪ                                    ／Ｎｍ３）
・空燃比（Ａ／Ｆ）                ：１５．４
・ブースト圧力（過給吸気圧力）    ：０．２ｋｇ／ｃｍ２
・燃料ガスＡの流量                ：３７．５Ｎｍ３／ｈｒ
・燃料ガスＡの補正流量            ：３３．８Ｎｍ３／ｈｒ
・燃料ガスＡの供給元圧力          ：０．００５ＭＰａ
・燃料ガスＡのエンジン供給圧力    ：１．５ｋＰａ
《テスト２のテスト条件》
・燃料ガスＡの発熱量（ＬＨＶ）    ：１，６００ｋｃａｌ／Ｎｍ３（６，６９８ｋＪ／                                    Ｎｍ３）
・空燃比（Ａ／Ｆ）                ：１５．５
・ブースト圧力（過給吸気圧力）    ：０．１２ｋｇ／ｃｍ２
・燃料ガスＡの流量                ：４４．０Ｎｍ３／ｈｒ
・燃料ガスＡの補正流量            ：３９．７Ｎｍ３／ｈｒ
・燃料ガスＡの供給元圧力          ：０．０２４ＭＰａ
・燃料ガスＡのエンジン供給圧力    ：３ｋＰａ
【００３３】
このようなテスト条件のもとで、テスト１およびテスト２について、ロータリーエンジン４のエンジン特性を計測した所、次の表１のデータが得られた。
このデータによると、燃料ガスＡとして使用される生成ガスの発熱量が１，６００ｋｃａｌ／Ｎｍ３（６，６９８ｋＪ／Ｎｍ３）と低いテスト２についても、必要なエンジン特性が得られた。すなわち、テスト１の３，０００ｋｃａｌ／Ｎｍ３（１２，５５８ｋＪ／Ｎｍ３）と、発熱量が従来より十分とされている場合に比し、ほぼ準じ得る程度の出力パワーが得られることが実証された。
このように、低い発熱量の生成ガスよりなる燃料ガスＡでも、エンジンの燃焼，駆動，運転が可能となり、必要なエンジン特性つまり回転速度，トルク，そして出力が得られることが裏付けられた。
実施例では、これらが確認された。
【００３４】
【表１】
0005054051.tif 000002
【図面の簡単な説明】
【００３５】
【図１】本発明に係るエンジンシステムについて、発明を実施するための最良の形態の説明に供し、構成フロー図である。
【図２】本発明に係るエンジンシステムについて、発明を実施するための最良の形態の説明に供し、構成説明図である。
【図３】本発明に係るエンジンシステムについて、発明を実施するための最良の形態の説明に供し、本発明には属さない参考例の構成説明図である。
【図４】本発明に係るエンジンシステムについて、発明を実施するための最良の形態の説明に供し、構成ブロック図である。そして、（１）図は本発明の例を示す。（２）図，（３）図，（４）図は、本発明には属さない参考例を示す。
【符号の説明】
【００３６】
１  エンジンシステム
２  ガス化炉
３  改質反応器
４  ロータリーエンジン
５  過給器
６  インタークーラー
７  発電機
８  混合器
９  ハウジング
１０  インジェクター
１１  ローター
１２  吸気孔
１３  排気孔
１４  点火プラグ
１５  タービン
１６  シャフト
１７  コンプレッサー
Ａ  燃料ガス
Ｂ  木質バイオマス
Ｃ  空気
Ｄ  排気ガス
【図１】
0005054051.tif 000003
【図２】
0005054051.tif 000004
【図３】
0005054051.tif 000005
【図４】
0005054051.tif 000006